(57)【要約】【課題】  使用時はボタンを操作してテープ部分を押出し、不使用時にはテープ部分をカバー内に収容させるボタン式修正テープを提供する。【解決手段】  本考案のボタン式修正テープは、前部カバー１と、前部カバー１の内部に設けられる修正テープ部材１０１と、前部カバー１と組み合わせ可能な後部カバー２と、後部カバー２の一端に設けられるボタン３と、後部カバー２内における位置決め部２０１の内側に固設される固定部材４と、固定部材４に挿設される後方部材５と、前端が前部カバー１内の凸部１０２に嵌め込まれる前方部材６と、修正テープ部材１０１の回収リング１１の一側に設けられる固定フレーム７と、固定フレーム７の一端に設けられる転写器８と、から成ることを特徴とする。【選択図】  図２
0003109092.tif 000002
【実用新案登録請求の範囲】
【請求項１】
中空状であり、両側にそれぞれ開口が形成され、内部に段差を有する止め部（１０３）が設けられる前部カバー（１）と、
前記前部カバー（１）の内部に設けられ、一端に凸部（１０２）が設けられ、連動リング（１２）が内設されるテープ盤（１３）と、該テープ盤（１３）の一側に設けられる回収リング（１１）と、該テープ盤（１３）と回収リング（１１）との間に巻装されるリング部材（１４）とを有する修正テープ部材（１０１）と、
前記前部カバー（１）と同様に中空状であり、両側にそれぞれ開口が形成され、更に、内部に位置決め部（２０１）が設けられる、前部カバー（１）と組合わせ可能な後部カバー（２）と、
前記後部カバー（２）の一端に設けられ、内部に凸部材（３０１）が設けられるボタン（３）と、
前記後部カバー（２）内における位置決め部（２０１）の内側に固設され、その位置決め部（２０１）と対応する内壁面に複数の深溝（４１）が形成されると共に、内壁面における、それら複数の深溝（４１）の間に、端部に位置決め溝（４３）を有する複数の浅溝（４２）が形成され、該各深溝（４１）と浅溝（４２）との間に、端部に斜面（４５）を有する凸ブロック（４４）が設けられる固定部材（４）と、
前記固定部材（４）に挿設され、その一端がボタン（３）の内部に設けられる凸部材（３０１）と接触すると共に、表面に、それぞれ深溝（４１）と浅溝（４２）内に位置する複数のレール（５１）が設けられ、端縁に環状に歯形部（５２）が形成される円筒状の後方部材（５）と、
一端が前記後方部材（５）の内部を貫いてボタン（３）の内部における凸部材（３０１）に接触するように、他端が前部カバー（１）の内部の修正テープ部材（１０１）における凸部（１０２）に嵌め込まれ、表面に歯形部（５２）と噛合する歯形部（６２）が形成されると共に、複数の傾斜状レール（６１）が設けられ、それら傾斜状レール（６１）がそれぞれ後方部材（５）におけるレール（５１）と対応するように深溝（４１）に設置される円筒状の前方部材（６）と、
前記回収リング（１１）の一側に設けられ、内部にスプリング（１０）を有し、内部における、スプリング（１０）の端部と対応する位置、且つ前記止め部（１０３）と隣接可能な位置にスプリング圧縮プレート（９）が設けられる固定フレーム（７）と、
前記固定フレーム（７）の一端に設けられる転写器（８）と、を有し、
前記テープ盤（１３）及び転写器（８）上に修正テープ（１５）が設置されることを特徴とするボタン式修正テープ。
【請求項２】
前記転写器（８）は、その両側面にそれぞれ、固定フレーム（７）の前端両側にそれぞれ設けられる固定柱（８２）を固設するための長穴（８１）が形成されると共に、後端にピン（８１１）が設けられ、固定フレーム（７）の前端にピン（８１１）を受入れるためのピン穴（８２１）が形成されることを特徴とする請求項１に記載のボタン式修正テープ。
【請求項３】
前記前部カバー（１）上に掛止孔（２２）が形成され、後部カバー（２）上に該掛止孔（２２）と対応する掛止ブロック（２１）が設けられることを特徴とする請求項１又は２に記載のボタン式修正テープ。
【考案の詳細な説明】
【技術分野】
【０００１】
本考案は、特に使用時にはボタンを操作することによりテープ部分を押出し、また、不使用時にはテープ部分をカバー内に収容させるボタン式修正テープに関するものである。
【背景技術】
【０００２】
一般に、修正テープとは、紙上の誤字などを消し去り修正するために、誤字上に修正テープを転写するものである。
【０００３】
従来の修正テープには、主に２種類のタイプがあり、一つ目のタイプは、本体を有し、該本体の一端に修正テープを有する転写器が設けられるものである。また、二つ目のタイプは、前記のタイプと同様、本体を有し、該本体の一端に修正テープを有する転写器が設けられる構造であるが、不使用時に転写器をカバーするカバー部材が設けられる点で異なる。
【考案の開示】
【考案が解決しようとする課題】
【０００４】
しかしながら、前記一つ目の修正テープは、転写器をカバーするカバー部材が設けられていないので、不使用にテープ部分が剥がれたり、汚れたりする虞がある。一方、二つ目の修正テープは、転写器をカバーするカバー部材は設けられているが、使用時にはわざわざカバー部材を取外す必要があるので、非常に不便であり、更に、使用者の不注意によりカバー部材を紛失してしまうと、不使用時において転写器をカバーできなくなるため、前記一つ目の修正テープと同様、テープ部分が剥がれたり、汚れたりする虞がある。その上、前記２タイプの修正テープは、転写器が固定式であることから、使用する時には、転写器におけるテープ面を正確に紙上の誤字部分の上に当てながら移動させなければ、テープを確実に誤字部分の上に転写できないので、非常に使い難い。
【課題を解決するための手段】
【０００５】
請求項１に記載の考案は、
中空状であり、両側にそれぞれ開口が形成され、内部に段差を有する止め部（１０３）が設けられる前部カバー（１）と、
前記前部カバー（１）の内部に設けられ、一端に凸部（１０２）が設けられ、連動リング（１２）が内設されるテープ盤（１３）と、該テープ盤（１３）の一側に設けられる回収リング（１１）と、該テープ盤（１３）と回収リング（１１）との間に巻装されるリング部材（１４）とを有する修正テープ部材（１０１）と、
前記前部カバー（１）と同様に中空状であり、両側にそれぞれ開口が形成され、更に、内部に位置決め部（２０１）が設けられる、前部カバー（１）と組合わせ可能な後部カバー（２）と、
前記後部カバー（２）の一端に設けられ、内部に凸部材（３０１）が設けられるボタン（３）と、
前記後部カバー（２）内における位置決め部（２０１）の内側に固設され、その位置決め部（２０１）と対応する内壁面に複数の深溝（４１）が形成されると共に、内壁面における、それら複数の深溝（４１）の間に、端部に位置決め溝（４３）を有する複数の浅溝（４２）が形成され、該各深溝（４１）と浅溝（４２）との間に、端部に斜面（４５）を有する凸ブロック（４４）が設けられる固定部材（４）と、
前記固定部材（４）に挿設され、その一端がボタン（３）の内部に設けられる凸部材（３０１）と接触すると共に、表面に、それぞれ深溝（４１）と浅溝（４２）内に位置する複数のレール（５１）が設けられ、端縁に環状に歯形部（５２）が形成される円筒状の後方部材（５）と、
一端が前記後方部材（５）の内部を貫いてボタン（３）の内部における凸部材（３０１）に接触するように、他端が前部カバー（１）の内部の修正テープ部材（１０１）における凸部（１０２）に嵌め込まれ、表面に歯形部（５２）と噛合する歯形部（６２）が形成されると共に、複数の傾斜状レール（６１）が設けられ、それら傾斜状レール（６１）がそれぞれ後方部材（５）におけるレール（５１）と対応するように深溝（４１）に設置される円筒状の前方部材（６）と、
前記回収リング（１１）の一側に設けられ、内部にスプリング（１０）を有し、内部における、スプリング（１０）の端部と対応する位置、且つ前記止め部（１０３）と隣接可能な位置にスプリング圧縮プレート（９）が設けられる固定フレーム（７）と、
前記固定フレーム（７）の一端に設けられる転写器（８）と、を有し、
前記テープ盤（１３）及び転写器（８）上に修正テープ（１５）が設置されることを特徴とするボタン式修正テープである。
【０００６】
請求項２記載の考案は、
前記転写器（８）は、その両側面にそれぞれ、固定フレーム（７）の前端両側にそれぞれ設けられる固定柱（８２）を固設するための長穴（８１）が形成されると共に、後端にピン（８１１）が設けられ、固定フレーム（７）の前端にピン（８１１）を受入れるためのピン穴（８２１）が形成されることを特徴とする請求項１に記載のボタン式修正テープである。
【０００７】
請求項３に記載の考案は、
前記前部カバー（１）上に掛止孔（２２）が形成され、後部カバー（２）上に該掛止孔（２２）と対応する掛止ブロック（２１）が設けられることを特徴とする請求項１又は２に記載のボタン式修正テープである。
【考案の効果】
【０００８】
本考案は、上記従来の課題を解決するものであり、後部カバーの一端に設けられるボタンを１回押すと、転写器上の修正テープ部分が外部へ延び出て、更に１回押すと転写器上の修正テープ部分が前部カバー内に引っ込み収容される仕組みであるので、どのような状況であってもテープ部分が剥がれたり、汚れたりすることはない。更に、本考案の転写器は、左右方向に約１８度程度首振り回転が可能であることから、テープ面を正確に紙上の誤字部分の上に当てながらテープの転写作業を行うことができるので、使用上非常に便利である。
【考案を実施するための最良の形態】
【０００９】
以下、添付図面を参照して本考案の好適な実施の形態を詳細に説明する。
【００１０】
図１は本考案に係るボタン式修正テープの斜視図であり、図２は本考案に係るボタン式修正テープの分解斜視図であり、図３は本考案に係るボタン式修正テープの側面断面図であり、図４は本考案に係るボタン式修正テープにおける固定部材、後方部材及び前方部材の分解斜視図であり、図５は本考案に係るボタン式修正テープにおける固定部材と後方部材と前方部材とを組合わせた状態を示す部分側面透視図であり、図６は本考案に係るボタン式修正テープの後方部材が押されて、前方部材が固定部材から押出された状態を示す側面透視図であり、図７は本考案に係るボタン式修正テープの前方部材が回転した状態を示す側面透視図であり、図８は本考案に係るボタン式修正テープの転写器が前部カバー内から押出された状態を示す斜視図であり、図９は本考案に係るボタン式修正テープの転写器が前部カバー内から押出された状態を示す側面断面図であり、図１０は本考案に係るボタン式修正テープの部分斜視図であり、図１１は本考案に係るボタン式修正テープにおける転写器と固定フレームとの連結関係を示す分解斜視図であり、図１２は本考案に係るボタン式修正テープの転写器が回転した状態を示す正面図である。
【００１１】
図１乃至図５に示すように、本考案のボタン式修正テープは、中空状であり、両側にそれぞれ開口が形成され、内部の上下左右の面に段差を有する止め部（１０３）が設けられると共に、上面に掛止孔（２２）が形成される、互いに組み合わせ可能な前部カバー（１）と、前記前部カバー（１）の内部に設けられ、一端に凸部（１０２）が設けられ、内部に、連動リング（１２）が内設されるテープ盤（１３）と、該テープ盤（１３）の一側に設けられる回収リング（１１）と、該テープ盤（１３）と回収リング（１１）との間に巻装されるリング部材（１４）とを有する修正テープ部材（１０１）と、前記前部カバー（１）と同様に中空状であり、両側にそれぞれ開口が形成され、更に、内部に位置決め部（２０１）が設けられ、自由端に、前記掛止孔（２２）と対応する掛止ブロック（２１）が設けられる前部カバー（１）と組合わせ可能な後部カバー（２）と、前記後部カバー（２）の一端の開口部に設けられ、内部に凸部材（３０１）が設けらる、断面がコ字形であるボタン（３）と、前記後部カバー（２）内における位置決め部（２０１）の内側に固設され、その位置決め部（２０１）と対応する内壁面に３つの深溝（４１）が形成されると共に、内壁面における、それら３つの深溝（４１）の間に、端部に位置決め溝（４３）を有する複数の浅溝（４２）が形成され、該各深溝（４１）と浅溝（４２）との間に、端部に斜面（４５）を有する凸ブロック（４４）が設けられる固定部材（４）と、前記固定部材（４）内に挿設され、その一端がボタン（３）の内部に設けられる凸部材（３０１）と接触すると共に、表面に、それぞれ深溝（４１）と浅溝（４２）内に位置する６本のレール（５１）が設けられ、端縁に環状の歯形部（５２）が形成される円筒状の後方部材（５）と、一端が前記後方部材（５）の内部を貫いてボタン（３）の内部における凸部材（３０１）に接触するように、前端が前部カバー（１）の内部の修正テープ部材（１０１）における凸部（１０２）に嵌め込まれ、表面に環状に歯形部（５２）と噛合する歯形部（６２）が形成されると共に、３本の傾斜状レール（６１）が設けられ、それら傾斜状レール（６１）がそれぞれ後方部材（５）における３本のレール（５１）と対応するように深溝（４１）内に設置される円筒状の前方部材（６）と、前記回収リング（１１）の一側に設けられ、内部にスプリング（１０）を有し、内部における、スプリング（１０）の端部と対応する位置、且つ前記止め部（１０３）と隣接可能な位置にスプリング圧縮プレート（９）が設けられる固定フレーム（７）と、前記固定フレーム（７）に一端に設けられ、両側面にそれぞれ、固定フレーム（７）の前端両側にそれぞれ設けられる固定柱（８２）を固設するための長穴（８１）が形成される転写器（８）とから成り、前記テープ盤（１３）及び転写器（８）上には、修正テープ（１５）が設置される。
【００１２】
図１及び図３に示すように、本考案は、修正テープ部材（１０１）が前部カバー（１）の内部に収容される時、修正テープ（１５）を有する転写器（８）も後退して前部カバー（１）の内部に収容される構成である。
【００１３】
また、図３及び図５に示すように、後部カバー（２）の内部に固定されている固定部材（４）内の前方部材（６）及び後方部材（５）はそれぞれ、傾斜型レール（６１）、レール部（５１）を用いて深溝（４１）にスライドするように構成され、前方部材（６）の端部は、修正テープ部材（１０１）の凸部（１０２）に嵌め込まれているので、使用者がボタン（３）を押すと、修正テープ部材（１０１）が前方に押出される。より詳細に説明すると、図６に示すように、後方部材（５）が前方部材（６）を押出すと、前方部材（６）上の傾斜型レール（６１）が固定部材（４）の深溝（４１）から前方へ押出され、その後、回転し斜面（４５）に沿ってスライドする。更に、図９に示すように、前端に設置されるスプリング（１０）は、スプリング圧縮プレート（９）により圧縮され、その圧縮プレート（９）が前部カバー（１）内の止め部（１０３）によりブロックされることにより付勢力が発生する。そして、図７乃至図９に示すように、付勢力により前方部材（６）が復位した時、斜面（４５）に沿ってスライドして固定部材（４）の位置決め溝（４３）に位置決めされ、それに連動して転写器（８）上に設けられる修正テープが前部カバー（１）の先端から外部に押出される。これにより、使用者が修正テープのテープ面を正確に紙上の誤字部分の上に当てながらテープの転写作業を行うことができる状態となる。
【００１４】
図８乃至図１１に示すように、前記修正テープ（１５）が巻装される転写器（８）の両側面にそれぞれ、固定フレーム（７）の前端両側にそれぞれ設けられる固定柱（８２）を固設するための長穴（８１）が形成されると共に、転写器（８）の後端にピン（８１１）が設けられ、更に、該固定フレーム（７）の前端にピン（８１１）を枢転可能に受入れるためのピン穴（８２１）が形成される。これにより、図１２に示すように、外部に修正テープ（１５）が巻装された転写器（８）は、固定柱（８２）に対して左右方向に約１８度程度首振り回転が可能となるので、テープ面を紙上の誤字部分に当て易くなる。
【００１５】
また、本考案のボタン式修正テープを使用しない時は、再びボタン（３）を押せば、後方部材（５）が前方部材（６）を押出し、前方部材（６）の傾斜型レール（６１）が固定部材（４）の深溝（４１）内に案内されて、最終的に図３に示すように、前方部材（６）及び修正テープを有する転写器（８）が前部カバー（１）の内部に後退収容される。故に、どのような状況であってもテープ部分が剥がれたり、汚れたりすることはない。
【図面の簡単な説明】
【００１６】
【図１】本考案に係るボタン式修正テープの斜視図である。
【図２】本考案に係るボタン式修正テープの分解斜視図である。
【図３】本考案に係るボタン式修正テープの側面断面図である。
【図４】本考案に係るボタン式修正テープにおける固定部材、後方部材及び前方部材の分解斜視図である。
【図５】本考案に係るボタン式修正テープにおける固定部材と後方部材と前方部材とを組合わせた状態を示す部分側面透視図である。
【図６】本考案に係るボタン式修正テープの後方部材が押されて、前方部材が固定部材から押出された状態を示す側面透視図である。
【図７】本考案に係るボタン式修正テープの前方部材が回転した状態を示す側面透視図である。
【図８】本考案に係るボタン式修正テープの転写器が前部カバー内から押出された状態を示す斜視図である。
【図９】本考案に係るボタン式修正テープの転写器が前部カバー内から押出された状態を示す側面断面図である。
【図１０】本考案に係るボタン式修正テープの部分斜視図である。
【図１１】本考案に係るボタン式修正テープにおける転写器と固定フレームとの連結関係を示す分解斜視図である。
【図１２】本考案に係るボタン式修正テープの転写器が回転した状態を示す正面図である。
【符号の説明】
【００１７】
１  前部カバー
１０１  修正テープ部材
１０２  凸部
１０３  止め部
１０  スプリング
１１  回収リング
１２  連動リング
１３  テープ盤
１４  リング部材
１５  修正テープ
２  後部カバー
２０１  位置決め部
２１  掛止ブロック
２２  掛止孔
３  ボタン
３０１  凸部材
４  固定部材
４１  深溝
４２  浅溝
４３  位置決め溝
４４  凸ブロック
４５  斜面
５  後方部材
５１  レール
５２  歯形部
６  前方部材
６１  傾斜型レール
６２  歯形部
７  固定フレーム
８  転写器
８１  長穴
８１１  ピン
８２  固定柱
８２１  ピン穴
９  スプリング圧縮プレート
【図１】
0003109092.tif 000003
【図２】
0003109092.tif 000004
【図３】
0003109092.tif 000005
【図４】
0003109092.tif 000006
【図５】
0003109092.tif 000007
【図６】
0003109092.tif 000008
【図７】
0003109092.tif 000009
【図８】
0003109092.tif 000010
【図９】
0003109092.tif 000011
【図１０】
0003109092.tif 000012
【図１１】
0003109092.tif 000013
【図１２】
0003109092.tif 000014